(57)【要約】      （修正有）【課題】  商品とジャケットシートを分離した状態でそれぞれ上部開口部から収納室に挿脱自在に収納することにより使用される透明の展示ケースを提供する。【解決手段】  展示ケース7は、ジャケットシートの背表紙と表側表紙と裏側表紙をそれぞれ内側に添設状態で保持する背壁10と表壁11と裏壁12を備えると共に、背壁に対向する腹壁13を備えており、該展示ケースの底部に収納室9を底上げした状態で商品を支持する支持部材14を設け、該支持部材の周壁と前記各壁の間にジャケットシートの下端部を挿入保持する挿入空隙Sを形成している。展示ケースの腹壁から収納室の内方に臨むと共に、上部から下部に向けて次第に幅広となる挿入支援手段17を設けられている。ジャケットシートを上部開口部から挿入空隙に向けて挿入したとき、挿入支援手段により、ジャケットシートの表側・裏側表紙を展示ケースの表壁と裏壁の内側面に向けて案内するガイド手段18が構成されている。【選択図】  図２
2006020687.tif 000002
【特許請求の範囲】
【請求項１】
背表紙(3)を介して表側表紙(4)と裏側表紙(5)を有するジャケットシート(2)を備えた商品(1)に関して、商品(1)とジャケットシート(2)を分離した状態でそれぞれ上部開口部(8)から収納室(9)に挿脱自在に収納する透明の展示ケースであり、
展示ケース(7)は、前記ジャケットシート(2)の背表紙(3)と表側表紙(4)と裏側表紙(5)をそれぞれ内側に添設状態で保持する背壁(10)と表壁(11)と裏壁(12)を備えると共に、背壁(10)に対向する腹壁(13)を備えており、該展示ケース(7)の底部に収納室(9)を底上げした状態で商品(1)を支持する支持部材(14)を設け、該支持部材(14)の周壁と前記背壁(10)・表壁(11)・裏壁(12)の間にジャケットシート(2)の下端部(2b)を挿入保持する挿入空隙(S)を形成した構成において、
前記腹壁(13)から収納室(9)の内方に臨むと共に、上部から下部に向けて次第に幅広となる挿入支援手段(17)を設けており、
ジャケットシート(2)を展示ケース(7)の収納室(9)に対して上部開口部(8)から挿入空隙(S)に向けて挿入したとき、挿入支援手段(17)の両側部によりジャケットシート(2)の表側表紙(4)と裏側表紙(5)を展示ケース(7)の表壁(11)と裏壁(12)の内側面に向けて案内するガイド手段(18)(18)を構成して成ることを特徴とするジャケットシートを備えた商品の展示ケース。
【請求項２】
ガイド手段(18)(18)を備えた挿入支援手段(17)は、展示ケース(7)の腹壁(13)から収納室(9)の内方に向けて進退自在手段(19)を介して突出しており、
商品(1)を展示ケース(7)の上部開口部(8)から収納室(9)に挿入したとき、進退自在手段(19)を介して挿入支援手段(17)を展示ケース(7)の腹壁(13)に向けて後退せしめるように構成して成ることを特徴とする請求項１に記載のジャケットシートを備えた商品の展示ケース。
【請求項３】
背表紙(3)を介して表側表紙(4)と裏側表紙(5)を有するジャケットシート(2)を備えた商品(1)に関して、商品(1)とジャケットシート(2)を分離した状態でそれぞれ上部開口部(8)から収納室(9)に挿脱自在に収納する透明の展示ケースであり、
展示ケース(7)は、前記ジャケットシート(2)の背表紙(3)と表側表紙(4)と裏側表紙(5)をそれぞれ内側に添設状態で保持する背壁(10)と表壁(11)と裏壁(12)を備えると共に、背壁(10)に対向する腹壁(13)を備えており、該展示ケース(7)の底部に収納室(9)を底上げした状態で商品(1)を支持する支持部材(14)を設けた構成において、
前記腹壁(13)から収納室(9)の内方に臨んで屈折した可撓性の挿入支援手段(17)を設けており、
商品(1)を展示ケース(7)の上部開口部(8)から収納室(9)に挿入したとき、挿入支援手段(17)の屈折部(20)により商品(1)を展示ケース(7)の背壁(10)に向けて案内付勢する弾発手段(21)を構成して成ることを特徴とするジャケットシートを備えた商品の展示ケース。
【発明の詳細な説明】
【技術分野】
【０００１】
本発明は、ジャケットシートを備えた商品の展示ケースであり、特に、背表紙を介して表側表紙と裏側表紙を備えたジャケットシートにより被覆される商品に関して、商品とジャケットシートを分離した状態でそれぞれ上部開口部から収納室に挿脱自在に収納することにより使用される透明の展示ケースに関する。
【背景技術】
【０００２】
従来、例えば、漫画その他の書籍は、書籍の表面をジャケットシートにより被覆している。また、ＣＤ又はＤＶＤのようなディスクや、ビデオカセット等のソフト記録媒体は保護ケースに収納され、該保護ケースの内面又は外面にジャケットシートを添設している。この際、ジャケットシートは、背表紙を介して表側表紙と裏側表紙を備え、表面に顧客の注意をひく文字又は図形もしくは写真や、種々の情報等の表示を印刷している。そして、ジャケットシートは商品（本件において前述のような書籍やソフト記録媒体を収納した保護ケースを「商品」と総称する）から分離自在とされている。
【０００３】
ところで、漫画喫茶店その他の貸本ショップや、ビデオレンタルショップ等のレンタル店においては、商品を展示するための展示ケースが使用されている。貸本用の展示ケースの１例を図１に基づいて説明すると、図１（Ａ）に示すように、商品１（書籍）は、概ね直方体形状とされた外形を有しており、ジャケットシート２（装丁シート）により被覆される構成とされ、該ジャケットシート２は、背表紙３を介して表側表紙４と裏側表紙５を備え、表面に種々の表示を印刷している。尚、書籍用のジャケットシート２の場合、表側表紙４及び裏側表紙５の自由端から内側に折曲された折込み片６を備えている。
【０００４】
図１（Ｂ）に示すように、展示ケース７は、商品１とジャケットシート２を分離した状態で、それぞれ上部開口部８から収納室９に挿脱自在に収納する透明（半透明を含む）のケースを構成している。この際、展示ケース７は、ジャケットシート２の背表紙３と表側表紙４と裏側表紙５をそれぞれ内側に添設状態で保持するための背壁１０と表壁１１と裏壁１２を備えると共に、背壁１０に対向する腹壁１３を備えており、該展示ケース７の底部に収納室９を底上げした状態で商品１を支持するための支持部材１４を設けている。尚、展示ケース７の表側表紙４と裏側表紙５の上端には折曲自在な保持片１５が延設され、背壁１０の上端にも折曲自在な保持片１６が延設されている。
【０００５】
そこで、図１（Ｃ）に示すように、展示ケース７の上部開口部８から収納室９にジャケットシート２が挿入される。展示ケース７の背壁１０、表壁１１、裏壁１２と、支持部材１４の周壁との間には、狭小な挿入空隙Ｓが形成されており、挿入されたジャケットシート２の下端部２ｂが挿入空隙Ｓに挿入保持される。ジャケットシート２を挿入した後、保持片１５、１６が内側に折曲され、これによりジャケットシート２の上端部２ａが保持される。この状態で、ジャケットシート２は、展示ケース７の全高Ｈとほぼ同じ高さ（同一高さ又はやや低い高さ）にわたる領域を占め、支持部材１４を外部から視認不能となるように隠蔽するが、展示ケース７は透明であるから、ジャケットシート２を外部から視認することができる。
【０００６】
図１（Ｄ）に示すように、商品１は、上部開口部８から収納室９に挿入され、展示ケース７に収納される。この際、商品１は、支持部材１４により底上げ状態で支持されるので、商品１の上端部１ａを展示ケース７の上部開口部８から上方に突出する。この際、展示ケース７に対して、商品１の挿入と取出しを容易に行わせるため、展示ケース２の内部の幅Ｗ１と、商品１の外部の幅Ｗ２は、Ｗ１＞Ｗ２となるように構成されている。
【０００７】
商品１を収納した展示ケース７は、レンタル店の陳列棚等に陳列され、顧客に向けてレンタルに供される。顧客は、多数陳列された展示ケース７のジャケットシート２を視認することにより希望する商品１を選択することができる。
【０００８】
レンタルのために、顧客が商品１を収納した展示ケース７を店内のカウンター等の所定の場所に持参すると、貸出手続の後、店員は、展示ケース７から取出した商品１を顧客に渡し、空になった展示ケース７を陳列棚等の元の位置に復帰させ、陳列棚等に空所が生じることを防止する。このため、陳列棚等には、商品１を収納した展示ケース７と、商品取出し後の空になった展示ケース７とが混在して展示されることになるが、商品のレンタルを模索する顧客は、展示ケース７の上部に商品１が突出しているものについては、貸出待機中の貸出可能状態であり、展示ケース７の上部に商品１が突出していないものについては、貸出中の貸出不能状態であることを判別することができる。
【０００９】
商品レンタル用の展示ケースにおいて、商品を底上げ状態で支持せしめる構成は、従来より公知である。
【特許文献１】特開２００１−３０１８５５公報
【発明の開示】
【発明が解決しようとする課題】
【００１０】
上述のように、商品１から分離したジャケットシート２を展示ケース７に挿入し、保持せしめるためには、ジャケットシート２の下端部２ｂを狭小な挿入空隙Ｓに挿入しなければならない。ところが、ジャケットシート２は薄い柔軟なシートから構成されているので、指先等の手が届かない展示ケース７の内部において該シート２の下端部２ｂを挿入空隙Ｓに挿入せしめる作業は容易でなく、しばしば、シート２の下端部２ｂが支持部材１４に干渉し、作業を困難にする。就中、図示した書籍の例においては、折込み片６、６が設けられているため、下端部２ｂを挿入空隙Ｓに挿入するに際して別途治具を必要とする等、作業の困難を更に顕著とする。
【００１１】
レンタル店においては、極めて多数の商品について、ジャケットシート２を展示ケース７に挿入し保持せしめなければならないから、このような作業の困難性は、耐え難く、時間と労力を浪費することになる。
【００１２】
更に、上述のように、展示ケース２の内部の幅Ｗ１は、商品１の外部の幅Ｗ２よりも十分に大きい、即ち、Ｗ１＞Ｗ２となるように構成されているので、商品１を展示ケース２に挿入した状態で、商品１は、幅方向に自由に遊動する。このため、陳列棚等に陳列した状態で、隣り合う展示ケース２、２から上方に突出する商品１、１の上端部１ａ、１ａが整然と揃わず、陳列棚等の奥行き方向に不揃いとなって見苦しいという問題がある。
【課題を解決するための手段】
【００１３】
本発明は、上述のような課題を解決したジャケットシートを備えた商品の展示ケースを提供するものである。
【００１４】
そこで、本発明が第一の手段として構成したところは、背表紙を介して表側表紙と裏側表紙を有するジャケットシートを備えた商品に関して、商品とジャケットシートを分離した状態でそれぞれ上部開口部から収納室に挿脱自在に収納する透明の展示ケースであり、該展示ケースは、前記ジャケットシートの背表紙と表側表紙と裏側表紙をそれぞれ内側に添設状態で保持する背壁と表壁と裏壁を備えると共に、背壁に対向する腹壁を備えており、該展示ケースの底部に収納室を底上げした状態で商品を支持する支持部材を設け、該支持部材の周壁と前記背壁・表壁・裏壁の間にジャケットシートの下端部を挿入保持する挿入空隙を形成した構成において、前記腹壁から収納室の内方に臨むと共に、上部から下部に向けて次第に幅広となる挿入支援手段を設けており、ジャケットシートを展示ケースの収納室に対して上部開口部から挿入空隙に向けて挿入したとき、挿入支援手段の両側部によりジャケットシートの表側表紙と裏側表紙を展示ケースの表壁と裏壁の内側面に向けて案内するガイド手段を構成して成る点にある。
【００１５】
この際、ガイド手段を備えた挿入支援手段は、展示ケースの腹壁から収納室の内方に向けて進退自在手段を介して突出し、商品を展示ケースの上部開口部から収納室に挿入したとき、進退自在手段を介して挿入支援手段を展示ケースの腹壁に向けて後退せしめるように構成することが好ましい。
【００１６】
また、本発明が第二の手段として構成したところは、背表紙を介して表側表紙と裏側表紙を備えたジャケットシートにより被覆される商品に関して、商品とジャケットシートを分離した状態でそれぞれ上部開口部から収納室に挿脱自在に収納する透明の展示ケースであり、該展示ケースは、前記ジャケットシートの背表紙と表側表紙と裏側表紙をそれぞれ内側に添設状態で保持する背壁と表壁と裏壁を備えると共に、背壁に対向する腹壁を備えており、該展示ケースの底部に収納室を底上げした状態で商品を支持する支持部材を設けた構成において、前記腹壁から収納室の内方に臨んで屈折した可撓性の挿入支援手段を設けており、商品を展示ケースの上部開口部から収納室に挿入したとき、挿入支援手段の屈折部により商品を展示ケースの背壁に向けて案内付勢する弾発手段を構成して成る点にある。
【発明の効果】
【００１７】
請求項１に記載の本発明によれば、展示ケース７の腹壁１３から収納室９の内方に臨むと共に、上部から下部に向けて次第に幅広となる挿入支援手段１７が設けられている。そこで、ジャケットシート２を展示ケース７に挿入保持せしめるに際し、該シート２を上部開口部８から収納室９に向けて挿入すると、ジャケットシート２の表側表紙４と裏側表紙５は、挿入移動に伴い、挿入支援手段１７の両側部に形成されたテーパ状のガイド手段１８、１８により好適に広げられ、展示ケース７の表壁１１と裏壁１２の内側面に向けて移動するように案内される。従って、このような案内状態の下でジャケットシート２を押し込むだけで、該シート２の下端部２ｂを自動的に挿入空隙Ｓに挿入することができ、作業が頗る容易である。
【００１８】
また、請求項２に記載の本発明によれば、ガイド手段１８、１８を備えた挿入支援手段１７は、展示ケース７の腹壁１３から収納室９の内方に向けて進退自在手段１９を介して突出せしめられている。このため、ジャケットシート２を展示ケース７に挿入保持せしめるに際しては、挿入支援手段１７のガイド手段１８、１８が収納室９の可及的内方位置に配置されているので、ジャケットシート２の表側表紙４と裏側表紙５の幅方向中央寄りの部分を好適に広げ、挿入空隙Ｓに向けて案内するガイド機能が優れている。従って、例えば、上述した折込み片６、６を設けたジャケットシート２の場合、表側表紙４と裏側表紙５の自由端近傍部だけを広げるように案内しても、折込み片６、６の自由端（折曲線の反対側の端部）が表側表紙４及び裏側表紙５から離間することにより支持部材１４に干渉する虞れがあるのに対して、進退自在手段１９を介して収納室９の可及的内方位置に配置されたガイド手段１８、１８により、折込み片６、６の自由端が離間しないように表側表紙４及び裏側表紙５に押付け又は近接せしめながら広げることができるので、折込み片６、６を挿入空隙Ｓに向けて好適に案内することができる。
【００１９】
そして、ジャケットシート２の挿入保持を終えた後、展示ケース７の収納室９に商品１を挿入するに際しては、商品１の挿入に伴い、挿入支援手段１７は、進退自在手段１９を介して収納室９の可及的内方位置から腹壁１３に向けて後退するので、商品１の挿入を好適に行わしめることができる。
【００２０】
更に、請求項３に記載の本発明によれば、展示ケース７の腹壁１３から収納室９の内方に臨んで設けた挿入支援手段１７が可撓性の屈折部２０により弾発手段２１を構成している。そこで、展示ケース７の収納室９に商品１を挿入すると、商品１は、前記弾発手段２１により展示ケース７の背壁１０に向けて案内付勢される。即ち、上述のように、展示ケース２の内部の幅Ｗ１と、商品１の外部の幅Ｗ２は、Ｗ１＞Ｗ２となるように構成されているが、展示ケース２に商品１を挿入した状態で、商品１が常に背壁１０に添うように位置決めされる。従って、商品１が収納室９の内部で幅方向に自由に遊動するようなことはなく、しかも、陳列棚等に陳列したとき、隣り合う展示ケース２、２の間において、上方に突出する商品１、１の上端部１ａ、１ａが陳列棚の奥行き方向に整然と揃うので、見栄えが良い。
【発明を実施するための最良の形態】
【００２１】
以下図面に基づいて本発明の好ましい実施形態を詳述する。
【００２２】
（商品の構成）
本発明の展示ケース７が対象とする商品１及びジャケットシート２は、図１に基づいて説明したものと同様であるから、図１の記載と上述の説明を援用することにより重複した説明を省略する。
【００２３】
（展示ケースの構成）
本発明の展示ケース７は、ケースの形態については図１に基づいて説明したものと同様であるから、図１の記載と上述の説明を援用することにより重複した説明を省略し、以下に本発明の特徴的構成を説明する。
【００２４】
（挿入支援手段の構成）
図２に示すように、展示ケース７は、腹壁１３から収納室９の内方に臨む挿入支援手段１７を設けている。挿入支援手段１７は、可撓性を有する合成樹脂板から形成され、上端部の取付手段２２からヒンジ部２３を介して下向き且つ収納室９の内方に向けて傾斜するアーム部２４を揺動自在に設けており、該アーム部２４の下端部から屈折部２０を介して腹壁１３に向けて屈折する延長部２５を延設している。
【００２５】
前記取付手段２２は、展示ケース７の上部開口部８に近傍する位置で腹壁１３に固定されており、後述するように腹壁１３に取外し不能に固着しても良く、或いは着脱自在に固着しても良い。
【００２６】
前記ヒンジ手段２３は、挿入支援手段１７を形成する可撓性の合成樹脂板を折曲することにより構成されており、アーム部２４を取付手段２２に対して、図示のような収納室９の内方に向けて傾斜した姿勢から腹壁１３に向けて後退自在とする進退自在手段１９を構成する。この際、進退自在手段１９は、アーム部２４を傾斜姿勢に保持した状態からヒンジ手段２３を弾性変形することにより後退せしめる構成とすることが好ましいが、後述するような延長部２５によりアーム部２４を傾斜姿勢に保持する構成を採用する場合は、弾力性を有しない揺動自在なヒンジにより構成しても良い。
【００２７】
前記アーム部２４は、横幅を上から下に向けて次第に広がるように形成することによりテーパ状の両側縁を備え、該両側縁によりガイド手段１８、１８を構成している。この際、アーム部２４の横幅の最大幅（下端部の横幅）ｄ１は、支持部材１４の支持面１４ａの横幅ｄ２と、展示ケース７の収納室９の横幅ｄ３に対して、ｄ３＞ｄ１＞ｄ２となるように形成され、又は、ｄ３＞ｄ１＝ｄ２となるように形成されている。因みに、ｄ３＞ｄ２に形成されている結果、上述の挿入空隙Ｓが形成されており、該挿入空隙Ｓは、背壁１０の内面と支持部材１４の間にも形成されている。
【００２８】
前記屈折部２０は、挿入支援手段１７を形成する可撓性の合成樹脂板をアーム部２４の下端において折曲することにより構成されており、弾性変形により該屈折部２０の屈折角度を拡開可能とすることにより、該屈折部２０の近傍部に弾発手段２１を構成する。
【００２９】
前記延長部２５は、屈折部２０から腹壁１３に向けて下向き傾斜状に延長されており、前記アーム部２４の最大幅ｄ１と同じ横幅を有している。
【００３０】
（ガイド手段の作用）
図３は、挿入支援手段１７におけるガイド手段１８、１８の作用を示している。図３（Ａ）に示すように、ジャケットシート２を展示ケース７の上部開口部８から収納室９に向けて挿入すると、折込み片６、６を含む表側表紙４と裏側表紙５は、下向きに挿入され移動するに伴い、下端部２ｂをテーパ状のガイド手段１８、１８により次第に広げられ、展示ケース７の表壁１１と裏壁１２の内側面に向かうように案内される。そして、下端部２ｂは、ガイド手段１８、１８を通過した後、延長部２５の両側縁により、表壁１１と裏壁１２に近接し且つ平行となるように姿勢を制御された状態で、挿入空隙Ｓに導かれる。
【００３１】
ジャケットシート２を挿入した後、図３（Ｂ）に示すように、保持片１５、１５及び保持片１６（図示せず）を内側に折曲することにより、ジャケットシート２の上端部２ａを保持する。支持部材１４は、ジャケットシート２の下端部２ｂにより外部から視認不能となるように隠蔽されるが、ジャケットシート２は、透明な展示ケース７を透視することにより外部から視認可能である。
【００３２】
この状態において、図３（Ｃ）に示すように、展示ケース７には、上部開口部８から収納室９に商品１を挿入することができる。挿入された商品１は、支持部材１４により底上げした状態で支持され、上端部１ａを展示ケース７の上部開口部８から上方に突出する。尚、ジャケットシート２は、下端部２ｂを挿入空隙Ｓに挿入保持され、上端部２ａを保持片１５、１６に保持されているので、商品１を挿入し又は取出すときに商品１の一部がジャケットシート２に摺擦する場合でも、ジャケットシート２は、位置ずれせずに固定保持されている。
【００３３】
（進退自在手段と弾発手段の作用）
図４は、挿入支援手段１７における進退自在手段１９と弾発手段２１の作用を示している。前述した通り、ジャケットシート２は、展示ケース２の内側面に沿って挿入され保持されている。挿入支援手段１７は、商品１を展示ケース２に挿入する前は図示鎖線で示す状態とされ、商品１を展示ケース２に挿入した後は図示実線で示す状態とされる。
【００３４】
商品１を展示ケース２に挿入する前の状態において、挿入支援手段１７は、図示鎖線で示すように、取付手段２２から下方の部位を収納室９の内方に向けて下向き傾斜状に延設している。これにより、上述のようにジャケットシート２を展示ケース２に挿入する際、ガイド手段１８、１８により折込み片６、６を表側表紙４及び裏側表紙５から離間しないように押付けながら挿入空隙Ｓに案内することができる。そこで、商品１を展示ケース２に挿入すると、商品１は、収納室９の内方に向けて突出した挿入支援手段１７に干渉することになる。
【００３５】
この点に関して、商品１を上部開口部８から挿入すると、挿入支援手段１７は、進退自在手段１９を介して腹壁１３に向けて後退するので、商品１を収納室９に好適に収納せしめることができる。図示実施形態の場合、下向き傾斜状に延びるアーム部２４に対して商品１の下端部１ｂが押付けられるので、アーム部２４を進退自在手段１９を支点として腹壁１３の方向に後退する。このとき、延長部２５の先端が腹壁１３に当接するが、屈折部２０の屈折角度を広げることにより、屈折部２０を含む挿入支援手段１７の全体を収納室９から腹壁１３に向けて後退させるので、これにより商品１の下端部１ｂが支持部材１４に到達するまで商品１を挿入せしめる。
【００３６】
この際、屈折部２０は、弾発手段２１を構成しており、前述のように屈折部２０の屈折角度を狭める方向に弾発されている。従って、挿入支援手段１７に沿って挿入される商品１は、弾発手段２１の屈折部２０により背壁１０に向けて案内付勢されながら挿入され、挿入後も、背壁１０に向けて弾発付勢され、これにより収納室９の内部で位置決めされ、自由に遊動することはない。
【００３７】
（挿入支援手段における取付手段の実施形態）
図５は、挿入支援手段１７の取付手段２２を展示ケース７の腹壁１３に取付固定するための実施形態を示している。図５（Ａ）に鎖線で示すように、展示ケース２７は、１枚の透明（半透明を含む）の合成樹脂板を折曲することにより上部開口状のほぼ直方体形状に形成されるものであり、背壁１０の両側縁に沿って折曲された表壁１１及び裏壁１２は、端縁に沿って相互に対向するように折曲された折重壁１３ａ、１３ｂを設けており、実線で示すように、折重壁１３ａ、１３ｂを重ね合わせると共に溶着又は接着等による固着部２６を介して固着され、これにより腹壁１３を形成している。
【００３８】
これに対して、挿入支援手段１７の取付手段２２は、ヒンジ部２３から起立する固定部２２ａと、該固定部２２ａの上端から外側に折返された下向きの爪部２２ｂを形成しており、図５（Ｂ）に示すように、腹壁１３の上端部において折重壁１３ａ、１３ｂの間に爪部２２ｂを挿入することにより取付固定されるように構成されている。
【００３９】
取付手段２２の第１実施形態として、爪部２２ｂを腹壁１３に対して取外し自在に取付固定することができる。この場合、図５（Ｂ）のように、爪部２２ｂを折重壁１３ａ、１３ｂの間に挿入した状態で、爪部２２ｂを折重壁１３ａ、１３ｂの一方又は両方に溶着又は接着等による固着部２７を介して固着すれば良い。
【００４０】
取付手段２２の第２実施形態として、爪部２２ｂを腹壁１３に対して着脱自在に取付固定することができる。この場合、前述のような固着部２７は設けない。爪部２２ｂは、折重壁１３ａ、１３ｂの間に挿入した状態で、表裏両面から折重壁１３ａ、１３ｂにより挟着保持されるが、爪部２２ｂを挿脱せしめることにより、取付手段２２は着脱自在に構成される。
【００４１】
取付手段２２の第３実施形態として、図示しないが、挿入支援手段１７は、固定部２２ａを介して腹壁１３と一体に形成することができる。即ち、展示ケース７を構成する１枚の合成樹脂板を裁断する際に、該合成樹脂板により挿入支援手段１７を一連に形成し、該合成樹脂板を折曲することにより展示ケース７を形成する際に、固定部２２ａを腹壁１３の内側に折曲するように構成しても良い。
【００４２】
（支持部材の実施形態）
図６は、支持部材１４の実施形態を示している。上述のように、展示ケース２７は、１枚の透明（半透明を含む）の合成樹脂板を折曲することにより上部開口状のほぼ直方体形状に形成され、折重壁１３ａ、１３ｂを重ね合わせると共に固着部２６を介して固着することにより腹壁１３を形成するが、図６（Ａ）に示すように、展示ケース２７の底部に位置して、表壁１１と裏壁１２の底縁から内側に折曲された底壁１１ａ、１２ａを備えており、対向する底壁１１ａ、１２ａの間にスリット状空間２８を形成している。また、腹壁１３は、底部に臨んで切欠されることにより窓孔２９を形成している。
【００４３】
支持部材１４は、図６（Ｂ）に示すように、展示ケース７の底部を覆う底蓋部３０と、該底蓋部３０の上方に中央リブ３１を介して離間せしめられた筒状部３２を設けており、該筒状部３２の基端部に閉蓋部３３を設けている。従って、展示ケース７に対して、筒状部３２を先端から窓孔２９に挿入し、中央リブ３１をスリット状空間２８に沿って摺動せしめると、図４に示すように、底壁１１ａ、１２ａを挟んで、下側が底蓋部３０により覆われ、上側に筒状部３２が配置され、窓孔２９が外側から閉蓋部３３により覆われる。
【００４４】
図例の場合、支持部材１４の基端部に位置して、底蓋部３０は薄肉ヒンジ３４により上下方向に回動自在な固着片３０ａを形成しており、該固着片３０ａを底蓋部３０に対して直線状態となるように回動したとき、該固着片３０ａに設けた係止爪３５を筒状部３２に嵌合係止するように構成され、これに対応する位置において、底壁１１ａ、１２ａには前記係止爪３５を挿通せしめる係止孔３６（図６（Ａ）参照）が形成されている。これにより、支持部材１４は、展示ケース７の底部（底壁１１ａ、１２ａ）に対して抜出不能に固定される。
【００４５】
図６（Ｂ）に示すように、筒状部３２にはアダプタ３６が挿脱自在に挿入されている。該アダプタ３６は、図示のように断面工字形に形成されており、筒状部３２の上面にはガイドスリット３７が形成されている。従って、アダプタ３６は、筒状部３２から引抜いた後、図６（Ｃ）に示すように、断面工字形とされた両側の溝部を介してガイドスリット３７に挿入することができる。
【００４６】
支持部材１４は、図６（Ｂ）に示すようなアダプタ３６を筒状部３２の内部に挿入した状態（第１使用例）と、図６（Ｃ）に示すようなアダプタ３６を筒状部３２の上部に挿入した状態（第２使用例）との二つの使用方法が可能である。従って、これにより展示ケース７における収納室９の深さ（底上げ深さ）を選択的に設定することができ、商品１の高さ寸法が異なる場合でも、常に、挿入収納された商品１の上端部１ａを展示ケース７の上方に突出させることができる。
【図面の簡単な説明】
【００４７】
【図１】レンタルに供される商品と展示ケースとの関係を示しており、（Ａ）は商品とジャケットシートを分離状態で示す斜視図、（Ｂ）は展示ケースを示す斜視図、（Ｃ）はジャケットシートを添設した状態の展示ケースを示す斜視図、（Ｄ）は商品を挿入した状態の展示ケースを示す斜視図である。
【図２】本発明の１実施形態に係る展示ケースを一部切欠状態で示す斜視図である。
【図３】挿入支援手段におけるガイド手段の作用を示しており、（Ａ）はジャケットシートを挿入中の状態を示す断面図、（Ｂ）はジャケットシートを挿入した後の状態を示す断面図、（Ｃ）は商品を挿入した状態を示す断面図である。
【図４】挿入支援手段における進退自在手段と弾発手段の作用を示す断面図である。
【図５】挿入支援手段における取付手段の実施形態を示しており、（Ａ）は取付手段を取付ける前の状態を示す斜視図、（Ｂ）は取付手段を取付けた後の状態を示す斜視図である。
【図６】支持部材の実施形態を示しており、（Ａ）は展示ケースの底部の部分を切欠状態で示す斜視図、（Ｂ）は支持部材の使用例を示す斜視図、（Ｃ）は支持部材の別の使用例を示す斜視図である。
【符号の説明】
【００４８】
１    商品
２    ジャケットシート
３    背表紙
４    表側表紙
５    裏側表紙
７    展示ケース
８    上部開口部
９    収納室
１０    背壁
１１    表壁
１２    裏壁
１３    腹壁
１４    支持部材
Ｓ    挿入空隙
１７    挿入支援手段
１８    ガイド手段
１９    進退自在手段
２０    屈折部
２１    弾発手段
２２    取付手段
２３    ヒンジ部
２４    アーム部
２５    延長部
【図１】
2006020687.tif 000003
【図２】
2006020687.tif 000004
【図３】
2006020687.tif 000005
【図４】
2006020687.tif 000006
【図５】
2006020687.tif 000007
【図６】
2006020687.tif 000008